(57)【要約】【課題】ドアシューの側面を粗面化させることができるエレベーターのドアシュー粗面化装置を得る。【解決手段】敷居溝２１に挿入されるドアシュー１２の側面に接触する接触位置とドアシュー１２の側面から離れる退避位置との間で変位する粗面化部材３１と、粗面化部材３１を変位させる変位装置３２とを備え、粗面化部材３１は、粗面化部材３１の位置が接触位置である場合であって、粗面化部材３１がドアシュー１２の側面に対して相対移動することによって、ドアシュー１２の側面を粗面化させる。【選択図】図２
2019196242.tif 000002
【特許請求の範囲】
【請求項１】
敷居溝に挿入されるドアシューの側面に接触する接触位置と前記ドアシューの側面から離れる退避位置との間で変位する粗面化部材と、
前記粗面化部材を変位させる変位装置と
を備え、
前記粗面化部材は、前記粗面化部材の位置が前記接触位置である場合であって、前記粗面化部材が前記ドアシューの側面に対して相対移動することによって、前記ドアシューの側面を粗面化させるエレベーターのドアシュー粗面化装置。
【請求項２】
前記粗面化部材は、前記粗面化部材の位置が前記接触位置である場合であって、前記ドアシューが前記敷居溝に沿って移動することによって前記ドアシューの側面を粗面化させる請求項１に記載のエレベーターのドアシュー粗面化装置。
【請求項３】
前記粗面化部材は、前記ドアシューを挟む一対の粗面化片を有し、
一対の前記粗面化片のそれぞれは、前記接触位置と前記退避位置との間で変位し、
一対の前記粗面化片のそれぞれの位置が前記接触位置である場合であって、一対の前記粗面化片が一対の前記ドアシューの側面に対して相対移動することによって、一対の前記ドアシューの側面のそれぞれが粗面化される請求項１または請求項２に記載のエレベーターのドアシュー粗面化装置。
【請求項４】
前記一対の前記粗面化片のそれぞれの位置が前記接触位置である場合に、一対の前記粗面化片の間の距離に基づいて、前記ドアシューの幅方向寸法を測定するドアシュー幅方向寸法測定装置をさらに備えた請求項３に記載のエレベーターのドアシュー粗面化装置。
【発明の詳細な説明】
【技術分野】
【０００１】
この発明は、ドアシューの側面を粗面化するエレベーターのドアシュー粗面化装置に関する。
【背景技術】
【０００２】
従来、間口方向に延びる敷居溝が形成された敷居と、ドア本体およびドア本体の下端部に設けられ、敷居溝に挿入されるドアシューを有するドアと備え、ドアが間口方向に移動することによって、ドアシューが敷居溝を移動するエレベーターのドア装置が知られている（例えば、特許文献１参照）。
【先行技術文献】
【特許文献】
【０００３】
【特許文献１】特開２０１０−５８８６２号公報
【発明の概要】
【発明が解決しようとする課題】
【０００４】
しかしながら、ドアが間口方向に移動する場合に、ドアシューの側面と敷居溝の側面との間で摩擦が発生する。これにより、ドアシューの側面が摩耗し、ドアシューの側面が鏡面化する。ドアが間口方向に移動する場合に、鏡面化したドアシューの側面と敷居溝の側面との間で摩擦が発生することによって、異音が発生するという問題点があった。
【０００５】
この発明は、上述のような課題を解決するためになされたものであり、その目的は、ドアシューの側面を粗面化させることができるエレベーターのドアシュー粗面化装置を提供するものである。
【課題を解決するための手段】
【０００６】
この発明に係るエレベーターのドアシュー粗面化装置は、敷居溝に挿入されるドアシューの側面に接触する接触位置とドアシューの側面から離れる退避位置との間で変位する粗面化部材と、粗面化部材を変位させる変位装置とを備え、粗面化部材は、粗面化部材の位置が接触位置である場合に、粗面化部材がドアシューの側面に対して相対移動することによって、ドアシューの側面を粗面化させる。
【発明の効果】
【０００７】
この発明に係るエレベーターのドアシュー粗面化装置によれば、粗面化部材は、粗面化部材の位置が接触位置である場合に、粗面化部材がドアシューの側面に対して相対移動することによって、ドアシューの側面を粗面化させる。これにより、ドアシューの側面を粗面化させることができる。
【図面の簡単な説明】
【０００８】
【図１】この発明の実施の形態１に係るエレベータードア装置を示す正面図である。
【図２】図１のＩＩ−ＩＩ線に沿った矢視断面図である。
【図３】図２のＩＩＩ−ＩＩＩ線に沿った矢視断面図である。
【図４】図２の粗面化部材３１が変位した状態を示す断面図である。
【図５】図３の粗面化部材３１が変位した状態を示す断面図である。
【図６】図１のドアシュー粗面化装置を示すブロック図である。
【図７】図１のエレベータードア装置の動作を示すフローチャートである。
【発明を実施するための形態】
【０００９】
実施の形態１．
図１は、この発明の実施の形態１に係るエレベータードア装置を示す正面図、図２は、図１のＩＩ−ＩＩ線に沿った矢視断面図、図３は、図２のＩＩＩ−ＩＩＩ線に沿った矢視断面図である。この発明の実施の形態１に係るエレベータードア装置は、一対のドア本体１１および複数のドアシュー１２を有しエレベーター出入口を開閉するドア１と、ドアシュー１２を間口方向に案内する敷居２と、ドアシュー１２の側面を粗面化する複数のドアシュー粗面化装置３とを備えている。一対のドア本体１１のそれぞれの下端部には、２個のドアシュー１２が取り付けられている。
【００１０】
この例では、エレベータードア装置として、かごに設けられたエレベーターかごドア装置について説明する。なお、これに限らず、エレベータードア装置として、乗場に設けられたエレベーター乗場ドア装置であってもよい。
【００１１】
また、この例では、エレベータードア装置として、センターオープン型のエレベータードア装置について説明する。つまり、この例では、ドア１がエレベーター出入口を開閉する場合に、一対のドア本体１１が互いに反対方向に移動する。なお、これに限らず、エレベータードア装置は、片側オープン型のエレベータードア装置であってもよい。
【００１２】
敷居２は、ドア１の間口方向に延びて配置されている。敷居２の上面には、ドア１の間口方向に延びる敷居溝２１が形成されている。ドアシュー１２は、敷居溝２１に上方から挿入される。ドア１が間口方向に移動する場合に、ドアシュー１２は、敷居溝２１に沿って移動する。これにより、ドア１の下端部は、間口方向について敷居２に案内される。
【００１３】
敷居溝２１の側面には、ドアシュー粗面化装置３が内部に配置される粗面化装置用溝２２が形成されている。ドアシュー粗面化装置３は、ドア１の位置が閉位置である場合に、ドアシュー粗面化装置３とドアシュー１２とが互いに対向するように配置されている。なお、これに限らず、ドアシュー粗面化装置３は、ドア１の位置が開位置である場合に、ドアシュー粗面化装置３とドアシュー１２とが互いに対向するように配置されてもよい。
【００１４】
ドアシュー粗面化装置３は、それぞれのドアシュー１２に対応して配置されている。この例では、４個のドアシュー粗面化装置３が粗面化装置用溝２２に設けられている。ドアシュー粗面化装置３は、粗面化部材３１と、粗面化部材３１を支持する変位装置３２とを有している。
【００１５】
粗面化部材３１は、サンドペーパー、針などから構成されている。粗面化部材３１がドアシュー１２の側面に接触した状態で、粗面化部材３１がドアシュー１２の側面に対して相対移動することによって、ドアシュー１２の側面が粗面化する。
【００１６】
粗面化部材３１は、ドアシュー１２を挟む一対の粗面化片３１１を有している。一対の粗面化片３１１の一方が、ドアシュー１２の両側面の一方と対向し、一対の粗面化片３１１の他方が、ドアシュー１２の両側面の他方と対向している。
【００１７】
図４は、図２の粗面化部材３１が変位した状態を示す断面図、図５は、図３の粗面化部材３１が変位した状態を示す断面図である。粗面化部材３１は、ドアシュー１２の側面に接触する接触位置と、ドアシュー１２の側面から離れる退避位置との間で変位する。変位装置３２は、粗面化部材３１を変位させる。一対の粗面化片３１１のそれぞれは、接触位置と退避位置との間で変位する。
【００１８】
ドアシュー１２が敷居溝２１に沿って移動することによって、粗面化部材３１は、ドアシュー１２の側面に対して相対移動する。粗面化部材３１の位置が接触位置である場合に、ドアシュー１２が敷居溝２１に沿って移動することによって、粗面化部材３１がドアシュー１２の側面を粗面化させる。
【００１９】
図６は、図１のドアシュー粗面化装置を示すブロック図である。ドアシュー粗面化装置３は、変位装置３２の駆動を制御する粗面化制御装置３３をさらに有している。粗面化制御装置３３は、エレベーター制御盤４に電気的に接続されている。粗面化制御装置３３は、エレベーター制御盤４との間で通信を行う。
【００２０】
粗面化制御装置３３には、エレベーターが遠隔診断運転を行う場合に、エレベーターが遠隔診断運転を行うことを示す情報が入力される。粗面化制御装置３３は、エレベーターが遠隔診断運転を行う場合に、ドアシュー１２の側面が粗面化するように変位装置３２を駆動させる。なお、粗面化制御装置３３は、例えば、ドア１の開閉回数が予め設定された回数に達した場合に、ドアシュー１２の側面が粗面化するように変位装置３２を駆動させる構成であってもよい。また、粗面化制御装置３３は、例えば、エレベーターの稼働時間が予め設定された時間に達した場合に、ドアシュー１２の側面が粗面化するように変位装置３２を駆動させる構成であってもよい。また、ドアシュー粗面化装置３は、ドア１と敷居２との間に発生する異音を検出する異音検出装置を備え、異音検出装置の検出結果に基づいて、ドアシュー１２の側面が粗面化するように粗面化制御装置３３が変位装置３２を駆動させる構成であってもよい。
【００２１】
また、ドアシュー粗面化装置３は、一対の粗面化片３１１のそれぞれの位置が接触位置である場合に、一対の粗面化片３１１の間の距離に基づいて、ドアシュー１２の幅方向寸法を測定するドアシュー幅方向寸法測定装置３４をさらに有している。ドアシュー幅方向寸法測定装置３４の測定結果は、エレベーター制御盤４に送られる。エレベーター制御盤４は、ドアシュー１２の幅方向寸法が予め設定された寸法よりも小さい場合に、外部に発報する。
【００２２】
次に、ドアシュー粗面化装置３を用いたドアシュー１２の粗面化について説明する。図７は、図１のエレベータードア装置の動作を示すフローチャートである。まず、ステップＳ１０１において、粗面化制御装置３３は、エレベーターが遠隔診断運転を行うか否かを判定する。ステップＳ１０１において、エレベーターが遠隔診断運転を行わないと判定された場合には、ステップＳ１０１が繰り返される。
【００２３】
一方、ステップＳ１０１において、エレベーターが遠隔診断運転を行うと判定された場合には、ステップＳ１０２において、粗面化制御装置３３は、変位装置３２を駆動させて、粗面化部材３１を退避位置から接触位置に変位させる。
【００２４】
その後、ステップＳ１０３において、エレベーター制御盤４は、ドア１を閉位置から開位置に変位させる。これにより、ドアシュー１２が敷居溝２１に沿って移動する。ドア１の閉位置から開位置への変位では、エレベーター制御盤４は、ドア１を間口方向に振動させてもよい。
【００２５】
ドア１が閉位置から開位置に変位することによって、ドアシュー１２の側面が粗面化する。その後、ステップＳ１０４において、粗面化制御装置３３は、変位装置３２を駆動させて、粗面化部材３１を接触位置から退避位置に変位させる。以上により、ドアシュー粗面化装置３を用いたドアシュー１２の粗面化が終了する。
【００２６】
以上説明したように、この発明の実施の形態１に係るエレベーターのドアシュー粗面化装置３によれば、粗面化部材３１は、粗面化部材３１の位置が接触位置である場合であって、粗面化部材３１がドアシュー１２の側面に対して相対移動することによって、ドアシュー１２の側面を粗面化させる。これにより、ドアシュー１２の側面と敷居溝２の側面との間の摩擦によって異音が発生することを抑制することができる。
【００２７】
また、粗面化部材３１は、粗面化部材３１の位置が接触位置である場合であって、ドアシュー１２が敷居溝２１に沿って移動することによってドアシュー１２の側面を粗面化させる。これにより、簡単な構成で、ドアシュー１２の側面を粗面化させることができる。
【００２８】
また、粗面化部材３１は、ドアシュー１２を挟む一対の粗面化片３１１を有し、一対の粗面化片３１１のそれぞれは、接触位置と退避位置との間で変位し、一対の粗面化片３１１のそれぞれの位置が接触位置である場合であって、一対の粗面化片３１１が一対のドアシュー１２の側面に対して相対移動することによって、一対のドアシュー１２の側面のそれぞれが粗面化される。これにより、簡単な構成で、ドアシュー１２の両側面を粗面化させることができる。
【００２９】
また、ドアシュー粗面化装置３は、一対の粗面化片３１１のそれぞれの位置が接触位置である場合に、一対の粗面化片３１１の間の距離に基づいて、ドアシュー１２の幅方向寸法を測定するドアシュー幅方向寸法測定装置を備えている。これにより、ドアシュー１２の幅方向寸法が予め設定された寸法よりも小さい場合に、外部に発報することができる。
【００３０】
なお、上記実施の形態１では、ドアシュー１２が敷居溝２１に沿って移動することによって、粗面化部材３１がドアシュー１２の側面に対して相対移動する構成について説明した。これに限らず、粗面化部材３１が敷居２に対して移動することによって、粗面化部材３１がドアシュー１２の側面に対して相対移動する構成であってもよい。この場合に、ドアシュー１２は、敷居溝２１の沿った方向に限らず、例えば、高さ方向に移動してもよい。
【符号の説明】
【００３１】
１  ドア、２  敷居、３  ドアシュー粗面化装置、４  エレベーター制御盤、１１  ドア本体、１２  ドアシュー、２１  敷居溝、２２  粗面化装置用溝、３１  粗面化部材、３２  変位装置、３３  粗面化制御装置、３４  ドアシュー幅方向寸法測定装置、３１１  粗面化片。
【図１】
2019196242.tif 000003
【図２】
2019196242.tif 000004
【図３】
2019196242.tif 000005
【図４】
2019196242.tif 000006
【図５】
2019196242.tif 000007
【図６】
2019196242.tif 000008
【図７】
2019196242.tif 000009